(57)【要約】【課題】高い洗浄性を有すると共に、洗い残しが無く、被洗浄面に傷を付ける事が無く、かつ、洗い上がりの優れた洗車機用洗浄ブラシを提供する。【解決手段】自動車洗浄用あるいは車両洗浄用の洗車機用洗浄ブラシのブラシ片において、前記洗車機用洗浄ブラシのブラシ片は、複数の異材質からなるブラシ部材にて平板状に形成されてあり、前記ブラシ片の少なくとも一端部に折込み部が形成されてあると共に、前記折込み部は、前記ブラシ部材の端面を覆うように、他のブラシ部材にて、折り込んで接合されてあるものである。【選択図】図１
2007260371.tif 000002
【特許請求の範囲】
【請求項１】
自動車洗浄用あるいは車両洗浄用の洗車機用洗浄ブラシのブラシ片において、前記洗車機用洗浄ブラシのブラシ片は、複数の異材質からなるブラシ部材にて平板状に形成されてあり、前記ブラシ片の少なくとも一端部に折込み部が形成されてあると共に、前記折込み部は、前記ブラシ部材の端面を覆うように、他のブラシ部材にて、折り込んで接合されてあることを特徴とする洗車機用洗浄ブラシのブラシ片。
【請求項２】
請求項１記載の構成よりなる洗車機用洗浄ブラシのブラシ片において、前記折込み部に空隙部が形成されてあることを特徴とする洗車機用洗浄ブラシのブラシ片。
【請求項３】
請求項１から２記載の構成よりなる洗車機用洗浄ブラシのブラシ片において、前記折込み部が形成されてある前記他のブラシ部材の材質に、少なくとも布帛、あるいは皮革のいずれかが使用されてあることを特徴とする洗車機用洗浄ブラシのブラシ片。
【請求項４】
請求項１から３記載の構成よりなる洗車機用洗浄ブラシのブラシ片において、前記折込み部が形成されてある前記他のブラシ部材を接合するブラシ部材の材質に、少なくとも合成樹脂発泡体、布帛、合成ゴムのいずれかが使用されてあることを特徴とする洗車機用洗浄ブラシのブラシ片。
【請求項５】
請求項１から４記載の構成よりなる洗車機用洗浄ブラシのブラシ片において、前記接合手段として、編み込みが使用されてあることを特徴とする洗車機用洗浄ブラシのブラシ片。
【請求項６】
請求項１から５のいずれか１項に記載の洗車機用洗浄ブラシのブラシ片が使用されてある洗車機用洗浄ブラシ。
【請求項７】
駆動源、被洗浄面に散布する洗浄剤、水を噴出させるノズル、及び洗浄後の被洗浄面を乾燥させる乾燥手段を備えると共に、請求項６記載の洗車機用洗浄ブラシが搭載されてある洗車機。
【発明の詳細な説明】
【技術分野】
【０００１】  本発明は、自動車あるいは車両の外面の被洗浄面に付着した汚れ等を洗浄する為の洗車機に使用する洗浄ブラシのブラシ片、及びそれを用いた洗車機用洗浄ブラシ、及びその洗車機用洗浄ブラシを搭載した洗車機に関するものである。
【背景技術】
【０００２】  自動車あるいは車両の外面の被洗浄面に付着した汚れ等を洗浄する為の洗車機に使用する洗車機用洗浄ブラシのブラシ片に関しては、例えば、洗浄部材と取付部材で構成され、取付部材が門型洗車機の回転筒に取り付けられる布ブラシにおいて、前記洗浄部材は、不織布で作られた細長袋と合成樹脂で作られた補強シートで構成され、補強シートは細長袋内に先靖部を没して配置され、前記取付部材には複数の洗浄部材が取り付けられていることを特徴とした門型洗車機の回転筒に取り付けられる布ブラシが門型洗車機の回転筒に取り付けられる布ブラシとして、特開２０００−７１９４９号公報に開示されてある。【０００３】  また、被洗浄面に付着した汚れ等を洗浄する為のブラシ用毛材においては、前記ブラシ用毛材は所定形状の織布あるいは不織布からなる布、及び所定形状の合成樹脂発泡体が接合層を有して重ね合わされることにより一体的に形成されてあることを特徴とするブラシ用毛材が、ブラシ毛材として、特開２００６−６８８６号公報に開示されてある。【０００４】
【特許文献１】  特開２０００−７１９４９号公報
【特許文献２】  特開２００６−６８８６号公報
【発明の開示】
【発明が解決しようとする課題】
【０００５】  しかしながら、上記特開２０００−７１９４９号においては、洗浄部材の先端部は内部に、補強シートが充填されていない為、洗浄部材の先端部は補強シートの有する腰の強さを洗浄時に発揮する事が出来なかった。【０００６】  また、上記特開２００６−６８８６号においては、使用時において、布、及び合成樹脂発泡体を被洗浄面に接触させる事が可能であるが合成樹脂発泡体が形成されてある面、及び端部は布に比べて洗浄力の劣る合成樹脂発泡体が接触してしまうという課題があった。【０００７】  本発明は、上記従来の課題を解決するもので、端部まで高い耐久性、及び強い腰を有すると共に、高い洗浄力を発揮でき、的確に洗浄できる洗車機用洗浄ブラシのブラシ片、及びそれを用いた洗車機用洗浄ブラシ、及びその洗車機用洗浄ブラシを搭載した洗車機を提供することを目的としている。
【課題を解決するための手段】
【０００８】  そして、本発明は、上記のような課題を解決する為に、前記洗車機用洗浄ブラシのブラシ片は、複数の異材質からなるブラシ部材にて平板状に形成されてあり、前記ブラシ片の少なくとも一端部に折込み部が形成されてあると共に、前記折込み部は、前記ブラシ部材の端面を覆うように、他のブラシ部材にて、折り込んで接合されてあるものである。【０００９】  また、第２の解決手段は、前記折込み部に空隙部が形成されてある構成としたものである。【００１２】  また、第３の解決手段は、前記折込み部が形成されてある前記他のブラシ部材の材質に、少なくとも布帛、あるいは皮革のいずれかが使用されてある構成としたものである。【００１０】  また、第４の解決手段は、前記折込み部が形成されてある前記他のブラシ部材を接合するブラシ部材の材質に、少なくとも合成樹脂発泡体、布帛、合成ゴムのいずれかが使用されてある構成としたものである。【００１１】  また、第５の解決手段は、前記接合手段として、編み込み片による、編み込みが使用されてある構成としたものである。【００１２】  また、第６の解決手段は、上記第１の課題解決手段から第５の課題解決手段のいずれか１項に記載の前記洗車機用洗浄ブラシのブラシ片が使用されてある洗車機用洗浄ブラシであるものである。【００１３】  また、第７の解決手段は、駆動源、被洗浄面に散布する洗浄剤、水を噴出させるノズル、及び洗浄後の被洗浄面を乾燥させる乾燥手段を備えると共に、第６の解決手段に記載の前記洗車機用洗浄ブラシのブラシ片が搭載されてある洗車機である。【００１４】  上記第１の解決手段による作用は、次の通りである。ブラシ部材の端面部に密着するように折り込むように覆うことで、ブラシ部材に腰が付与されて、含水による垂れ下がりがなくなる。その為、被洗浄面にたいして、折込み部は、外面を覆った他のブラシ部材が接触する。また、折込み部の有するブラシ片の腰の強さは平板状のブラシ部材、及び端部の外面を覆った他のブラシ部材により設定される。また、折込み部は、ブラシ部材にたいして、他のブラシ部材が接合されてある為、他のブラシ部材は、前記ブラシ部材から脱落する事無く、折込み部を有するブラシ片が形成される。また、折込み部は、他のブラシ部材が折り込んで接合されてあり、他のブラシ部材は、ブラシ片の端部から延設されていない。【００１５】  上記第２の解決手段による作用は、次の通りである。すなわち、被洗浄面からブラシ片の折込み部に加圧、衝撃等が加わった場合には、空隙部により加圧、衝撃は吸収、又は分散される。【００１６】  上記第３の解決手段による作用は、次の通りである。すなわち、被洗浄面にたいして、折込み部に形成された布帛あるいは皮革が接触する。また、布帛、及び皮革は、高い洗浄力、柔軟性、高い弾性を有している為、ブラシ片は、被洗浄面に柔らかく、かつ的確に接触する。【００１７】  上記第４の解決手段による作用は、次の通りである。すなわち、折込み部を形成する他のブラシ部材を接合するブラシ部材、あるいは他のブラシ部材が被洗浄面に接触する。また、合成樹脂発泡体、合成ゴムは、強い腰、高い弾性、高い耐久性を有する物を製作できる。その為、被洗浄面は、ブラシ片の有する上記性能��付与される。また、布帛は、高い洗浄力を有するものを製作できる。また、ブラシ部材に布帛を使用した場合においては、被洗浄面は、ブラシ片の有する高い洗浄力が付与される。【００１８】  上記第５の解決手段による作用は、次の通りである。すなわち、編み込みにてブラシ片はブラシ部材に接合されてある。編み込み形状としては、ブラシ片の一部を分割し延設された帯状のブラシ片をブラシ部材の複数の切込み部に順次に挿入し編み込むように形成されてある。【００１９】  上記第６の解決手段による作用は、次の通りである。すなわち、上記第１の解決手段から第５の解決手段のいずれか１項に記載の前記洗車機用洗浄ブラシのブラシ片が使用されてある洗車機用洗浄ブラシを使用することができるので、洗い残しの無い、高い洗浄性を有する洗車機用洗浄ブラシを提供できる。【００２０】  上記第７の解決手段による作用は、次の通りである。すなわち、第６の解決手段に記載された洗車機用洗浄ブラシが搭載されてある洗車機が構成されてあり、前記洗車機は、駆動源、被洗浄面に散布する洗浄剤、水を噴出させるノズル、及び洗浄後の被洗浄面を乾燥させる乾燥手段を備えている。搭載されてある洗車機用洗浄ブラシは、ブラシ片の形状変形を抑制できる高い耐久性を有している為、洗車機は、被洗浄面に汚れ等が強固に付着している時でも、汚れを掻き出して強力に除去できる高い洗浄性及び耐久性を有する事ができる。
【発明の効果】
【００２１】  本発明の洗車機用洗浄ブラシを構成するブラシ片は、布帛の含水による垂れ下がりがなく、布帛の有する高い洗浄性と合成樹脂発泡体、合成ゴムの腰の強さ、高い弾性、高い耐久性を十分に発揮できる。非常に優れたものである。
【発明を実施するための最良の形態】
【００２２】  第１の発明は、被洗浄面にたいして、折込み部は、外面を覆った他のブラシ部材が接触する為、被洗浄面にたいして、折込み部を接触させる事もできる。その為、端部が垂れる事無く、的確に接触できる。また、折込み部の有するブラシ片の腰の強さは平板状のブラシ部材、及び端部の外面を覆った他のブラシ部材により設定される為、折込み部は、ブラシ部材、及び他のブラシ部材が有する腰の強さにて被洗浄面を洗浄できる。その為、高い洗浄力を発揮できる。また、折込み部は、ブラシ部材にたいして、他のブラシ部材が接合されてある為、他のブラシ部材は、前記ブラシ部材から脱落する事無く、折込み部を有するブラシ片が形成されている為、被洗浄面にたいして、的確に接触させる事ができる。また、折込み部は、他のブラシ部材が折り込んで接合されてあり、他のブラシ部材は、ブラシ片の端部から延設されていない為、ブラシ片の端面は、含水、加圧、衝撃等により垂れ下がる事が無い。【００２３】  第２の発明は、被洗浄面からブラシ片の折込み部に加圧、衝撃等が加わった場合には、空隙部により加圧、衝撃は吸収、又は分散される。ブラシ片を被洗浄面にたいして、強く押し付けて接触させた場合、あるいは高速回転にて叩きつけた場合においても、ブラシ片の折込み部に形成された空隙部が加圧、衝撃等を吸収、又は、分散する事により、折込み部の形状が適時変形し、被洗浄面の形状にならって追従し的確に洗い残し無く洗浄できる。また、空隙部は、加圧、衝撃等を吸収、又は分散できる為、被洗浄面にキズを付ける事を防止、又は抑制できる。【００２４】  第３の発明は、被洗浄面にたいして、折込み部に形成された布帛あるいは皮革が接触する。また、布帛、及び皮革は、高い洗浄力、柔軟性、弾性を有している為、ブラシ片は、被洗浄面に柔らかく、かつ的確に接触する。その為、ブラシ片は、被洗浄面にたいして、高い洗浄性能を発揮できる。また、ブラシ片は、柔軟性、及び弾性を有している為、被洗浄面にキズを付けることを防止、あるいは抑制できる。【００２５】  第４の発明は、折込み部を形成する他のブラシ部材を接合するブラシ部材、あるいは他のブラシ部材が被洗浄面に接触する。また、合成樹脂発泡体、合成ゴムは、強い腰、高い弾性、高い耐久性を有する物を製作できる。その為、被洗浄面は、ブラシ片の有する上記性能が付与される。また、布帛は、高い洗浄力を有するものを製作できる為、高い耐久性と強い掻き出し力を発揮できる。また、ブラシ部材に布帛を使用した場合においては、被洗浄面は、ブラシ片の有する高い洗浄力が付与される為、ブラシ片の全面にわたり布帛を被洗浄面に接触できると共に、布帛に形成された折込み部を接触できる為、極めて高い洗浄性能を発揮できる。【００２６】  第５の発明は、編み込みにてブラシ片がブラシ部材の切込み部にたいして編み込み片が交互に差し込み後、抜け防止として折り返し同切込み部へ戻し編み込む為、ブラシ片が遠心力により外へ抜けようとすると編み込まれた編み込み片が、互いの切込み部を閉じる作用が働く為、ブラシ片はブラシ部材から外れる事なく形成されてある。その為、ブラシ片がブラシ部材から脱落する事がない。材質の異なる２種類のブラシ片を、強力に接合する事��できる。また、被洗浄面にたいして、異材質のブラシ片を接触させる事ができる為、使用目的に応じて、最適な洗浄性、耐久性を有する事ができる。また、ブラシ片の摩耗、劣化時の交換、ブラシ片の異材質への組み替えが可能である。また、他の異材料を使用する事無く着脱が容易に出来て、再生する事ができる。【００２７】  第６の発明は、第１から第５のいずれか１項に記載の前記洗車機用洗浄ブラシのブラシ片が搭載されてある洗車機用ブラシとして使用することができるので、洗い残しの無い、高い洗浄性を有する洗車機用洗浄ブラシを提供できる。【００２８】  第７の発明は、第６の発明の洗車機用洗浄ブラシが搭載されてある洗車機であり、駆動源、被洗浄面に散布する洗浄剤、水を噴出させるノズル、及び洗浄後の被洗浄面を乾燥させる乾燥手段を備えると共に、第６の発明の洗浄ブラシを備えたもので、搭載されてある洗浄ブラシは、軸体が回転してもブラシ外周径が安定し、ブラシ片の形状変形を抑制できる高い耐久性を有している為、洗車機は、被洗浄面に汚れ等が強固に付着している時でも、汚れを掻き出して強力に除去できる高い洗浄性、及び耐久性を有する事ができる。【００２９】  以下、本発明の実施の形態について、図面を参照しながら説明する。尚、この実施の形態により本発明が限定されるものではない。
【実施例１】
【００３０】  図１から図１０にて実施例１を示す。図１は、本発明の洗車機用洗浄ブラシのブラシ片を正面から見た斜視図である。図１において、１はブラシ片、２は合成樹脂発泡体、３は布帛、４は溶着部である。図２（Ａ）、及び図２（Ｂ）は、他の実施の形態の折込み部の断面図である。図２（Ａ）において、１１はブラシ片、１２は合成樹脂発泡体、１３は布帛である。図２（Ｂ）において、２１はブラシ片、２２は合成樹脂発泡体、２３、２４は布帛である。図３（Ａ）、（Ｂ）及び（Ｃ）は、ブラシ片を破断した空隙部状態を示す正面から見た斜視図である。図３（Ａ）において、３１はブラシ片、３２は合成樹脂発泡体、３３は布帛、３４は溶着部、３５は空隙部である。図３（Ｂ）において、４１はブラシ片、４２は合成樹脂発泡体、４３は布帛、４４は溶着部、４５は空隙部である。図３（Ｃ）において、５１はブラシ片、５２は合成樹脂発泡体、５３は布帛、５４は溶着部、５５は空隙部である。図４は、編み込みによる接合状態のブラシ片を破断した正面から見た斜視図である。図４において、６１はブラシ片、６２は合成樹脂発泡体、６３は布帛、６５は空隙部、６６、６７、６８、６９は編み込み片である。図５は、編み込み接合を示す展開図である。図５において、Ａ、ａ、Ｂ、ｂ、Ｃ、ｃ、Ｄ、ｄは、切込み部である。図６は、本発明の洗車機用洗浄ブラシを正面から見た斜視図である。図６において、８０は洗浄ブラシ、７２は合成樹脂発泡体、７３は布帛、７６は樹脂ワッシャー、７７はリベット、７８は軸体、７９は組付孔である。図７は、洗車機用洗浄ブラシに取り付けられるブラシ片を正面から見た斜視図である。図７において、７１はブラシ片、７４は溶着部、７５は取付孔である。図８は、他の実施の形態の洗車機用洗浄ブラシを正面から見た斜視図である。図８において、９０は洗浄ブラシ、８２は合成樹脂発泡体、８３は布帛、８６はチャンネルブラシ、８７は止め金具、８８は軸体、８９は嵌合凹部である。図９は、洗車機用洗浄ブラシに取り付けられるブラシ片を正面から見た斜視図である。図９において、８１はブラシ片、８４は溶着部である。図１０は、洗車機用洗浄ブラシに取り付けられるブラシ片の側面図である。図１０において、８５は芯線である。【００３１】  洗車機用洗浄ブラシのブラシ片１、１１、２１は、図１、図２（Ａ）及び図２（Ｂ）の如く、合成樹脂発泡体２、１２、２２、布帛３、１３、２３、２４、溶着部４より構成されてある。ブラシ片１、１１、２１は、長方形形状からなり、布帛３、１３、２３、２４が合成樹脂発泡体２、１２、２２を折り込むように覆って、溶着部４にて布帛３、１３、２３、２４と合成樹脂発泡体２、１２、２２とが圧着されて形成されてある。また、布帛３、１３、２３、２４と合成樹脂発泡体２、１２、２２の間は密着するように形成されてある。【００３２】  洗車機用洗浄ブラシのブラシ片３１、４１、５１は、図３（Ａ）、（Ｂ）及び（Ｃ）の如く、合成樹脂発泡体３２、４２、５２、布帛３３、４３、５３、溶着部３４、４４、５４、空隙部３５、４５、５５より構成されてある。ブラシ片３１は長方形形状からなる合成樹脂発泡体３２の端面側に布帛３３にて概ヒダ形状の空隙部３５を形成するように溶着部３４にて圧着されて形成されてある。また、ブラシ片４１は、長方形形状からなる合成樹脂発泡体４２の表面に合成樹脂発泡体４２及び、布帛４３にて概ヒダ形状に空隙部４５を形成するように溶着部４４にて圧着されて形成されてある。また、ブラシ片５１は、長方形形状からなる端面部に切り欠き部が形成されてある合成樹脂発泡体５２の表面に布帛５３にて概ヒダ形状に空隙部５５を形成するように溶着部５４にて圧着されて形成されてある。【００３３】  洗車機用洗浄ブラシのブラシ片６１は、図４、図５の如く、合成樹脂発泡体６２、布帛６３、切り込み部Ａ、ａ、Ｂ、ｂ、Ｃ、ｃ、Ｄ、ｄ、空隙部６５、編み込み片６６、６７、６８、６９より構成されてある。ブラシ片６１は、長方形形状からなり、布帛６３が合成樹脂発泡体６２を折り込むように覆って、合成樹脂発泡体６２の端面部に合成樹脂発泡体６２、及び布帛６３にて概ヒダ形状に空隙部６５を形成して、編み込み片６６、６７、６８、６９にて合成樹脂発泡体６２と布帛６３とが接合されて形成されてある。【００３４】  洗車機用洗浄ブラシ８０は、図６、図７の如く、ブラシ片７１、合成樹脂発泡体７２、布帛７３、溶着部７４、取付孔７５、樹脂ワッシャー７６、リベット７７、軸体７８、組付孔７９より構成されてある。ブラシ片７１は、リベット７７に樹脂ワッシャー７６を嵌めて、取付孔７５に通して、軸体７８の組付孔７９にかしめて止めて形成されてある。【００３５】  洗車機用洗浄ブラシ９０は、図８、図９、図１０の如く、ブラシ片８１、合成樹脂発泡体８２、布帛８３、溶着８４、芯線８５、チャンネルブラシ８６、止め金具８７、軸体８８、嵌合凹部８９より構成されてある。軸体８８は、略円筒状からなり、外周部には、円周８等分以上の嵌合凹部８９が形成されてあり、両端部には、止め金具８７が組み付けられて形成されてある。チャンネルブラシ８６は、ブラシ片８１を、芯線８５、及び概Ｕ字断面を有する帯状帯にて挟み付けて折り込んだ後、軸体８８の外周の嵌合凹部８９に捩りを加えて略螺旋状に差し込み形成されてあり、両端部を止め金具８７にて固定されてある。【００３６】  次に、図１にて、ブラシ片１の製造方法を説明する。まず、図１の如く、長方形形状に形成した合成樹脂発泡体２に、同じく長方形形状の布帛３で合成樹脂発泡体２の端面部に密着するように折り込んで溶着部４を溶着にて圧着接合する。【００３７】  次に、他の実施の形態の折込み部を図２（Ａ）にて、ブラシ片１１の製造方法を説明する。まず、図２（Ａ）の如く、長方形形状に形成した合成樹脂発泡体１２に、同じく長方形形状の布帛１３で合成樹脂発泡体１２の前面から端面部に密着するように折り込むように合わせて、溶着部４を溶着にて圧着接合する。【００３８】  次に、他の実施の形態の折込み部を図２（Ｂ）にて、ブラシ片２１の製造方法を説明する。まず、図２（Ｂ）の如く、長方形形状に形成した合成樹脂発泡体２２に、同じく長方形形状の布帛２３で合成樹脂発泡体２２の前面から端面部に密着するように挟み込むように合わせた後、さらに異材質の布帛２４で端面部を覆い溶着部４を溶着にて圧着接合する。【００３９】  次に、図３（Ａ）にて、ブラシ片３１の製造方法を説明する。まず、���３（Ａ）の如く、長方形形状に形成した合成樹脂発泡体３２に、同じく長方形形状の布帛３３で空隙部３５を有するように、合成樹脂発泡体３２の端面部を折り込むように合わせて、溶着部３４を溶着にて圧着接合する。【００４０】  次に、図３（Ｂ）にて、ブラシ片４１の製造方法を説明する。まず、図３（Ｂ）の如く、長方形形状に形成した合成樹脂発泡体４２に、同じく長方形形状の布帛４３で合成樹脂発泡体４２の端面部を折り込むように合わせて、先端部の溶着部４４を溶着した後、端部近傍に合成樹脂発泡体４２の表面と布帛４３にて空隙部４５を形成するように、布帛４３を弛ませて、溶着部４４を溶着にて圧着接合する。【００４１】  次に、図３（Ｃ）にて、ブラシ片５１の製造方法を説明する。まず、図３（Ｃ）の如く、長方形形状からなる端面部に切り欠き部が形成されてある合成樹脂発泡体５２の端面部に布帛５３にて概ヒダ形状に空隙部５５を形成するように折り込むように合わせて、溶着部５４を溶着にて圧着接合する。【００４２】  次に、図５にて、ブラシ片６１の製造方法を説明する。まず、図５の如く、長方形形状に形成した合成樹脂発泡体６２に、同じく長方形すだれ形状の布帛６３で空隙部６５を有するように、合成樹脂発泡体６２の端面部を折り込むように合わせて、編み込み片６６、６８を切込み部Ａ、ａの上方から挿入して、切込み部Ｂ，ｂへ挿入する時に、編み込み片６７、６９を重ね合わせて通し、切込み部Ｃ、ｃへ通し、切込み部Ｄ、ｄへ通してから切込み部Ｂ、ｂへ戻り通して、切込み部Ａ、ａより抜き取り編み込み接合する。【００４３】  次に、図６から図７にて、洗車機用洗浄ブラシ８０の製造方法を説明する。まず、図７の如く、長方形形状に形成した合成樹脂発泡体７２に、同じく長方形の布帛７３で合成樹脂発泡体７２の両端面部に密着するように折り込んで溶着部７４を溶着にて圧着接合する。次に、図６の如く、リベット７７に樹脂ワッシャー７６を嵌めて、取付孔７５に通して、軸体７８の組付孔７９にかしめて止めてある。上記においては、接合手段として、溶着が採用されてあるが、上記以外にもたとえば、縫製、接着、リベット止め、ネジ止め、面ファスナー等の様々な接合方法が採用できる。【００４４】  次に、図８から図１０にて、洗車機用洗浄ブラシ９０の製造方法を説明する。まず、図９の如く、長方形形状に形成した合成樹脂発泡体８２に、同じく長方形の布帛８３で合成樹脂発泡体８２の両端面部に密着するように折り込んで溶着部８４を溶着にて圧着接合する。次に、図８、及び図１０の如く、チャンネルブラシ８６は、ブラシ片８１を、芯線８５、及び概Ｕ字断面を有する帯状帯にて挟み付けて折り込んだ後、軸体８８の円周８等分以上の嵌合凹部８９にチャンネルブラシ８６を差し込み形成されてあり、両端部を止め金具８７にて固定されてある。または、軸体８８の外周の周りに捩りを加えて螺旋状に巻き付けると共に、止め金具８７にて固定する方法も採用できる。【００４５】  次に、洗車機用洗浄ブラシ８０の洗浄時における、被洗浄面にたいするブラシ片１、１１、２１、３１、４１、５１、６１の洗浄状態を説明する。まず、ブラシ片１は、図１の如く、合成樹脂発泡体２端面部を布帛３にて密着するように折り���んで覆い、溶着部４にて布帛３と合成樹脂発泡体２とが溶着にて圧着されて形成されてある時には、被洗浄面にたいして、布帛３の面、及び先端のエッジ部と合成樹脂発泡体２の面にて接触することで、汚れを掻き出して強力に除去できる。【００４６】  また、ブラシ片１１は、図２（Ａ）の如く、合成樹脂発泡体１２に、同じく長方形形状の布帛１３で合成樹脂発泡体１２の前面から端面部に密着するように折り込むように合わせて、溶着部４を溶着にて圧着形成されてある時には、被洗浄面にたいして、正転時には、布帛１３の面、及び先端のエッジ部が接触する。また、逆転時には、布帛１３の面、及び先端のエッジ部と合成樹脂発泡体１２の面にて接触することで、被洗浄面にたいして、布帛１３の面と先端のエッジ部、あるいは、合成樹脂発泡体が交互に接触し布帛１３の面と先端部が適度な弾力で柔軟な洗浄をさせることができる。【００４７】  また、ブラシ片２１は、図２（Ｂ）の如く、合成樹脂発泡体２２に、同じく長方形形状の布帛２３で合成樹脂発泡体２２の前面から端面部に密着するように折り込むように合わせた後、さらに異材質の布帛２４で端面部を覆い溶着部４を溶着にて圧着形成されてある時には、被洗浄面にたいして、正転時には、布帛２３の面と異材質の布帛２４及び先端のエッジ部が接触する。また、逆転時には、布帛２４の面、及び先端のエッジ部と合成樹脂発泡体１２の面にて接触することで、被洗浄面にたいして、凹凸があっても布帛２４がソフトに接触させながら異材質の摩擦抵抗により掻き出し効果が発生させることができ細部まで的確に接触させ好適な洗浄をさせることができる。【００４８】  また、ブラシ片３１は、図３（Ａ）の如く、長方形形状に形成した合成樹脂発泡体３２に、同じく長方形形状の布帛３３で空隙部３５を有するように、合成樹脂発泡体３２の端面部を折り込むように合わせて、溶着部３４を溶着にて圧着形成されてある時には、被洗浄体にたいして、ヒダ状の空隙部３５が連続して被洗浄面に叩き付ける様に接触する。また、ヒダ形状は、被洗浄面上にて、自在に形状が変形する。その為、被洗浄面にたいして、ヒダ状の面と先端のエッジ部で交互に接触する為、より多くの掻き出し効果が発生する。【００４９】  次に、ブラシ片４１は、図３（Ｂ）の如く、長方形形状に形成した合成樹脂発泡体４２に、同じく長方形形状の布帛４３で合成樹脂発泡体４２の端面近傍に合成樹脂発泡体４２の表面と布帛４３にて空隙部４５を形成するように、合成樹脂発泡体４２の端面部を折り込むように合わせて、溶着部４４を溶着にて圧着形成されてある時には、ヒダ状の空隙部４５が被洗浄面に接触すると、空気層の空隙部４５が変形して、衝撃を吸収しソフトに接触させながら掻き出し効果が発生すると共に、布帛４３の面と先端部で適度な弾力で柔軟な洗浄をさせることができる。【００５０】  次に、ブラシ片５１は、図３（Ｃ）の如く、長方形形状からなる端面部に切り欠き部が形成されてある合成樹脂発泡体５２の端面部に布帛５３にて概ヒダ形状に空隙部５５を形成するように折り込むように合わせて、溶着部５４を溶着にて圧着形成されてある時には、ヒダ形状は、被洗浄面上にて、自在に形状が変形し洗浄面にならって洗浄すると共に、柔軟な腰が発生して、被洗浄面にたいして、布帛５３の高い洗浄性で細部まで的確に接触させ好適な洗浄をさせることができる。【００５１】  また、ブラシ片６１は、図４の如く、長方形形状に形成した合成樹脂発泡体６２に、同じく長方形形状の布帛６３で空隙部６５を有するように、合成樹脂発泡体６２の端面部を折り込むように合わせて、編み込み片６６、６７、６８，６９で編み込み形成されてある時には、被洗浄体にたいして、ヒダ状の空隙部６５が連続して被洗浄面に叩き付ける様に接触する。また、ヒダ形状は、被洗浄面上にて、自在に形状が変形する。その為、被洗浄面にたいして、ヒダ状の面と先端のエッジ部で交互に接触する為、より多くの掻き出し効果が発生する。【００５２】  実施例１の洗車機用洗浄ブラシ８０、あるいは９０は、上記の如くの構成となっている為、ブラシ片１、１１、２１は、合成樹脂発泡体２、１２、２２の表面に布帛３、１３、２３、２４を密着するように形成されてある。その為、被洗浄面にたいして、ブラシ片１、１１、２１の表面が被洗浄面に適度な弾力でソフトに接触をすることでキズを付ける事がない。また、ブラシ片３１、４１、５１、６１の長手方向にたいして空隙部３５、４５、５５、６５が形成されてある。その為、被洗浄面にたいして、ブラシ片３１、４１、５１、６１の空隙部３５、４５、５５、６５が被洗浄面に適度な弾力で柔軟な接触をすることでキズを付ける事がなく。また、空隙部３５、４５、５５、６５の面と先端のエッジ部で交互に接触する為、より多くの掻き出し効果が発生する。また、布帛３、１３、２３、２４、３３、４３、５３、６３の高い洗浄性で細部まで的確に接触させ適度な弾力で柔軟性のあるソフトで好適な洗浄をさせることができる。また、洗車時の軸体７８、あるいは８８の回転時に洗車機用洗浄ブラシ８０、あるいは９０の径が安定し、被洗浄面にたいして、的確に接触させる事ができる。その為、被洗浄面の汚れにたいして、洗い残しが無く、より細部の洗浄ができ、付着力の強い汚れを適格に落すことができる。【００５３】  実施例１の洗車機用洗浄ブラシ８０、あるいは９０は、上記の如くの構成となっているが、ブラシ片１、１１、２１、３１、４１、５１、６１等の形状については、概Ｎ字形状、概Ｍ字形状、概Ｕ字形状等に折り畳み使用する事も採用できる。また、空隙部３５、４５、５５、６５等の形状以外にも様々な形状も採用できる。
【実施例２】
【００５４】  図１１にて実施例２を示す。図１１は、図６、あるいは図８の洗車機用洗浄ブラシが搭載されてある洗車機の正面図である。図１１において、８０は洗車機用洗浄ブラシ、９１は洗車機、９２は駆動源、９３はノズル、９４は乾燥機である。【００５５】  洗車機９１は、請求項１から５のいずれか１項に記載の洗浄機用洗浄ブラシ８０、あるいは９０が搭載されてあり、洗車機用洗浄ブラシ８０、あるいは９０は駆動源９２により回転される。ノズル９３からは、被洗浄面にたいして、洗浄剤、及び水が散布され、洗車機用洗浄ブラシ８０、あるいは９０により洗浄され、洗浄後は、乾燥機９４等の乾燥手段により被洗浄面が乾燥される。【００５６】  実施例２の洗車機９１は、上記の如くの構成となっているので、駆動源９２と、被洗浄面に散布する洗浄剤、及び水を噴出させるノズル９３と、洗浄後の被洗浄面を乾燥させる乾燥機９４等の乾燥手段を備えると共に、上記実施例１に記載の前記洗車機用洗浄ブラシ８０、あるいは９０が搭載されてある。その為、前記洗車機用洗浄ブラシ８０、あるいは９０は、上記の如く、被洗浄面にたいして、複数の異材質からなるブラシ片と空隙部が適度な弾力で柔軟性のある好適な接触させることができる為、洗車機９１は、被洗浄面に汚れ等が強固に付着している時でも汚れを掻き出して、強力に除去できる。
【産業上の利用可能性】
【００５７】  本発明の洗車機用洗浄ブラシのブラシ片及び洗車機は、主に、自動車あるいは車両の外面の被洗浄面に付着した汚れ等を洗浄する為の洗車機に搭載する洗浄ブラシ及び洗車機として使用する。
【図面の簡単な説明】
【００５８】
【図１】  本発明の洗車機用洗浄ブラシのブラシ片を正面から見た斜視図
【図２】  （Ａ）及び（Ｂ）は他の実施の形態の折込み部の断面図
【図３】  （Ａ）、（Ｂ）及び（Ｃ）はブラシ片を破断した空隙部状態を示す正面から見た斜視図
【図４】  編み込みによる接合状態のブラシ片を破断した正面から見た斜視図
【図５】  編み込み接合を示す展開図
【図６】  本発明の洗車機用洗浄ブラシを正面から見た斜視図
【図７】  洗車機用洗浄ブラシに取り付けられるブラシ片を正面から見た斜視図
【図８】  他の実施の形態の洗車機用洗浄ブラシを正面から見た斜視図
【図９】  洗車機用洗浄ブラシに取り付けられるブラシ片を正面から見た斜視図
【図１０】  洗車機用洗浄ブラシに取り付けられるブラシ片の側面図
【図１１】  図６、あるいは図８の洗車機用洗浄ブラシが搭載されてある洗車機の正面図
【符号の説明】
【００５９】  １、１１、２１、３１、４１、５１、６１、７１、８１  ブラシ片
２、１２、２２、３２、４２、５２、６２、７２、８２  合成樹脂発泡体
３、１３、２３、２４、３３、４３、５３、６３、７３、８３  布帛
４、３４、４４、５４、７４、８４  溶着部
３５、４５、５５、６５  空隙部
６６、６７、６８、６９  編み込み片
７５  取付孔    ７６  樹脂ワッシャー    ７７  リベット
７８、８８  軸体    ７９  組付孔
８０、９０  洗車機用洗浄ブラシ
８５  芯線    ８６  チャンネルブラシ    ８７  止め金具
８９  嵌合凹部
９１  洗車機
９２  駆動源
９３  ノズル
９４  乾燥機
Ａ、ａ、Ｂ、ｂ、Ｃ、ｃ、Ｄ、ｄ  切込み部
【図１】
2007260371.tif 000003
【図２】
2007260371.tif 000004
【図３】
2007260371.tif 000005
【図４】
2007260371.tif 000006
【図５】
2007260371.tif 000007
【図６】
2007260371.tif 000008
【図７】
2007260371.tif 000009
【図８】
2007260371.tif 000010
【図９】
2007260371.tif 000011
【図１０】
2007260371.tif 000012
【図１１】
2007260371.tif 000013